(57)【特許請求の範囲】
【請求項１】
互いに連結可能で、各々所定の部材に取り付けられる取付部（２４、４２）を有するプラグ（１２）とソケット（１４）から成り、
前記プラグ（１２）は、一対の脚部（２０）を備え、前記一対の脚部（２０）の先端部（２０ａ）寄りの位置に各々係合部（２２）が形成され、
前記ソケット（１４）は、上面部（４５）と下面部（４６）が互いに間隔を空けて対面するとともに、前記上面部（４５）と前記下面部（４６）の端部に前記プラグ（１２）が挿入可能な挿入口（４０ａ）を有し、前記上面部（４５）と前記下面部（４６）間の空間により前記挿入口（４０ａ）から連続する嵌合部（４０）が形成され、
前記嵌合部（４０）を形成した前記上面部（４５）の内面と前記下面部（４６）の内面の少なくとも一方に、前記係合部（２２）が係合する一対の被係合部（５２）を備え、
前記上面部（４５）および前記下面部（４６）の少なくとも一方に、表裏方向に開口し一対の前記被係合部（５２）から各々連続した一対の透孔（５４）を備え、
前記ソケット（１４）の前記取付部（４２）側の、前記上面部（４５）と前記下面部（４６）間に、前記嵌合部（４０）に連通し前記挿入口（４０ａ）に対向する開口部（６２，７８）が形成され、
前記上面部（４５）と前記下面部（４６）の少なくとも一方の前記取付部（４２）側で、かつ左右方向の中央部に、前記開口部（６２，７８）に連通するとともに表裏方向に貫通し前記挿入口（４０ａ）には開口していない凹形状の開口凹部（５８，７２，７６，８２）が形成され、前記開口凹部（５８，７２，７６，８２）は、前記上面部（４５）および前記下面部（４６）の少なくとも一方の一対の前記透孔（５４）の間に形成され、前記透孔（５４）と前記開口凹部（５８，７２，７６，８２）の間に、前記上面部（４５）または前記下面部（４６）の一部で形成された側縁部（６４）が設けられ、前記開口凹部（５８，７２，７６，８２）の左右方向の幅は、前記一対の脚部（２０）の互いに対向する側面間の左右方向の間隔よりも狭く形成されていることを特徴とするバックル。
【請求項２】
前記開口凹部（５８，７２，７６，８２）は、前記上面部（４５）と前記下面部（４６）の一方に形成され、前記上面部（４５）と前記下面部（４６）の他方の、前記取付部（４２）側の端部により前記開口凹部（５８，７２，７６，８２）が覆われている請求項１記載のバックル。
【請求項３】
前記嵌合部（４０）の前記取付部（４２）側の端面に端面壁部（６０）が設けられ、前記開口部（６２）は前記端面壁部（６０）に形成されている請求項１記載のバックル。
【請求項４】
前記開口部（６２）は、左右方向の幅が前記一対の透孔（５４）の前記開口凹部（５８）側の側縁間の間隔より狭く形成されている請求項１記載のバックル。
【請求項５】
前記開口部（７８）は、左右方向の幅が前記一対の透孔（５４）の前記開口凹部（７６）側の側縁間の間隔より広く形成されている請求項１記載のバックル。
【請求項６】
前記プラグ（１２）は、一対の脚部（２０）の間に前後方向に突出したガイド部（３０）を有し、
前記プラグ（１２）と前記ソケット（１４）が係合した状態で、前記ガイド部（３０）の先端は、前記開口凹部（５８）の前記挿入口（４０ａ）側の端縁に位置する請求項１記載のバックル。
【請求項７】
前記端面壁部（６０）は、前記側縁部（６４）の前記取付部（４２）側の端縁にて、前記上面部（４５）および前記下面部（４６）を連結して形成されている請求項３記載のバックル。
【請求項８】
前記開口部（６２，７８）は、前記嵌合部（４０）の表裏面間の幅全体にわたって開口している請求項１記載のバックル。
【発明の詳細な説明】
【技術分野】
【０００１】
この発明は、互いに係合及び係合解除可能なプラグとソケットとを備え、テープやベルト、その他の部材の別々の部分同士を連結状態から分離するバックルに関する。
【背景技術】
【０００２】
従来、二つの連結対象物を着脱自在に連結するバックルとして、例えば特許文献１に開示されているバックルがあった。このバックルは、プラグとソケットから成り、プラグは、テープ等が挿通され連結されるテープ挿通孔が設けられた取付部であるテープ通し部と、テープ通し部の幅方向両端部から互いに平行に延びる一対の脚部とを有する。各脚部は、弾性変形可能に設けられ、先端部に、表裏方向に突出して形成された一対の係合突部が設けられている。プラグが嵌合するソケットにも、テープ挿通孔が設けられたテープ通し部が設けられ、テープ通し部の一方の端部から中空のプラグ嵌合部が一体に設けられている。プラグ嵌合部は、先端部が開口した上板と下板とから成り、上板及び下板の幅方向両側縁には、操作開口部が形成されている。操作開口部の基端部側には、プラグ嵌合部に挿入された一対の脚部の一対の係合突部とそれぞれ係合可能な被係合部が形成されている。そして、ソケットの下板のテープ通し部側の端部には、テープ通し部の長手方向に平行に延びた孔部が形成され、この孔部の周縁部からソケット内に突部が設けられ、プラグの係合突起が係合可能に設けられている。従って、プラグとソケットの係合状体で、孔部からはプラグの係合突起が露出している。
【０００３】
また、特許文献２に開示されたバックルも上記特許文献１と同様の基本的構成を備えているが、ソケットのテープ通し部側には、開口した解放口が設けられているとともに、この開放口から、ソケットの下板にプラグの挿入口側に向かって凹状に形成された開口縁が連続して設けられている。これにより、この解放口には、プラグの係合突部の先端面と裏面が露出している。
【先行技術文献】
【特許文献】
【０００４】
【特許文献１】特開２００４−１６０１６６号公報
【特許文献２】特開２０１１−２５４９２９号公報
【発明の概要】
【発明が解決しようとする課題】
【０００５】
上記特許文献１に開示されたバックルは、ソケットに形成された孔部が、プラグの挿入方向と直交する面に設けられているため、ソケット内にゴミや雪等の異物が詰まっていた場合、その異物が孔部から排出されずソケット内に詰まり、ソケットの挿入や、係合突部の係合ができない場合があった。
【０００６】
また、特許文献２に開示されたバックルの場合、ソケットのテープ通し部側に解放口が形成されているので、ソケット内に多少の異物があっても、プラグの挿入時に、異物がソケットのテープ通し部側の解放口から排出される。しかし、解放口が大きく、かえってソケット内に異物が入りやすいという問題があった。さらに、プラグとソケットの係合状態で、解放口の凹状の開口縁から異物が入り、一対の脚部間に挟み込んだ場合、異物によりプラグの係合突部が互いに近づく方向に揺動できず、係合状態から解除できない場合があった。
【０００７】
この発明は、上記背景技術の問題点に鑑みて成されたもので、ソケット内に異物があってもプラグの係合を容易に行うことができ、係合解除も確実に可能なバックルを提供することを目的とする。
【課題を解決するための手段】
【０００８】
この発明は、互いに連結可能で、各々所定の部材に取り付けられる取付部を有するプラグとソケットから成り、前記プラグは、一対の脚部を備え、前記一対の脚部の先端部寄りの位置に各々係合部が形成され、前記ソケットは、上面部と下面部が互いに間隔を空けて対面するとともに、前記上面部と前記下面部の端部に前記プラグが挿入可能な挿入口を有し、前記上面部と前記下面部間の空間により前記挿入口から連続する嵌合部が形成され、前記嵌合部を形成した前記上面部の内面と前記下面部の内面の少なくとも一方に、前記係合部が係合する一対の被係合部を備え、前記ソケットの前記取付部側の、前記上面部と前記下面部間に、前記嵌合部に連通し前記挿入口に対向する開口部が形成され、前記上面部と前記下面部の少なくとも一方の前記取付部側で、かつ左右方向の中央部に、前記開口部に連通するとともに表裏方向に貫通し前記挿入口には開口していない凹形状の開口凹部が形成され、前記開口凹部の左右方向の幅は、前記一対の脚部の互いに対向する側面間の左右方向の間隔よりも狭く形成されているバックルである。
【０００９】
前記ソケットは、前記上面部および前記下面部の少なくとも一方に、表裏方向に開口し一対の前記被係合部から各々連続した一対の透孔を備え、前記開口凹部は、前記上面部および前記下面部の少なくとも一方の一対の前記透孔の間に形成され、前記透孔と前記開口凹部の間に、前記上面部または前記下面部の一部で形成された側縁部が設けられたものである。
【００１０】
前記開口凹部は、前記上面部と前記下面部の一方に形成され、前記上面部と前記下面部の他方の、前記取付部側の端部により、前記開口凹部が覆われているものである。
【００１１】
前記嵌合部の前記取付部側の端面に端面壁部が設けられ、前記開口部は前記端面壁部に形成されているものである。前記開口部は、左右方向の幅が前記一対の透孔の前記開口凹部側の側縁間の間隔より狭く形成されている。または、前記開口部は、左右方向の幅が前記一対の透孔の前記開口凹部側の側縁間の間隔より広く形成されているものでも良い。
【００１２】
前記プラグは、一対の脚部の間に前後方向に突出したガイド部を有し、前記プラグと前記ソケットが係合した状態で、前記ガイド部の先端は、前記開口凹部の前記挿入口側の端縁に位置するものでも良い。
【００１３】
前記端面壁部は、前記側縁部の前記取付部側の端縁にて、前記上面部および前記下面部を連結して形成されている。また、前記開口部は、前記嵌合部の表裏面間の幅全体にわたって開口しているものである。
【発明の効果】
【００１４】
この発明のバックルは、ソケット内に異物があってもプラグの係合を容易に行うことができ、係合解除も確実に可能なものである。これにより、操作性が良く、係合及び係合解除が確実に行われ、信頼性や安全性の高いバックルを提供することができる。
【図面の簡単な説明】
【００１５】
【図１】この発明の第一実施形態のバックルのプラグとソケットの係合状態を示す斜視図である。
【図２】第一実施形態のバックルのプラグとソケットの係合状態を示す背面図である。
【図３】第一実施形態のバックルのプラグとソケットの係合状態を示す底面図である。
【図４】第一実施形態のバックルのソケットの斜視図である。
【図５】第一実施形態のバックルのソケットの正面図である。
【図６】第一実施形態のバックルのソケットの背面図である。
【図７】第一実施形態のバックルのソケットの右側面図である。
【図８】第一実施形態のバックルソケットの底面図である。
【図９】図５のＡ−Ａ断面図である。
【図１０】図７のＢ−Ｂ断面図である。
【図１１】第一実施形態のバックルのプラグを示す斜視図である。
【図１２】第一実施形態のバックルのプラグの正面図である。
【図１３】第一実施形態のバックルのプラグの背面図である。
【図１４】この発明の第二実施形態のバックルを示す斜視図である。
【図１５】第二実施形態のバックルのソケットの背面図である。
【図１６】第二実施形態のバックルのソケットを示す斜視図である。
【図１７】この発明の第三実施形態のバックルを示す斜視図である。
【図１８】第三実施形態のバックルのソケットの背面図である。
【図１９】第三実施形態のバックルのソケットを示す斜視図である。
【図２０】この発明の第四実施形態のバックルを示す斜視図である。
【図２１】第四実施形態のバックルのソケットの背面図である。
【図２２】第四実施形態のバックルのソケットを示す斜視図である。
【発明を実施するための形態】
【００１６】
以下、この発明の第一実施形態のバックル１０について、図１〜図１３を基にして説明する。このバックル１０は、図１〜図３に示すように、プラグ１２と、プラグ１２が嵌合して係止されるソケット１４とから成るもので、テープやベルト、その他の一対の部材に各々取り付けられ、互いに連結及び連結解除を任意に可能にする。以後の説明において、プラグ１２をソケット１４に挿入または離脱する方向を前後方向とし、プラグ１２をソケット１４に挿入する方向を前方向、連結状態にあるプラグ１２をソケット１４から離脱する方向を後ろ方向とし、前後方向とは、図２の紙面において上下方向でもある。ソケット１４の後述する一対の操作孔５０が対向する方向であって、プラグ１２の一対の脚部２０が対向する方向を左右方向とし、左右方向とは、図２の紙面において左右方向でもある。左右方向及び前後方向に直交する方向を表裏方向また厚み方向という。
【００１７】
プラグ１２は、例えばポリアセタール、ポリアミド、ポリプロピレンなどの合成樹脂で一体成形により形成されている。プラグ１２は、図１１〜図１３に示すように、ソケット１４に挿入される脚部２０と、脚部２０の先端部２０ａに位置した先端連結部２３、及び先端連結部２３のさらに先端寄りの位置に一体に設けられた係合部である係合突起２２を備えている。係合突起２２とは反対側には、一対の脚部２０の基端部２０ｂに一体に設けられた取付部２４が設けられている。取付部２４は、テープやベルト、その他の所定の部材を挿通し連結する部分として機能する。
【００１８】
一対の脚部２０は、互いに対称に取付部２４から突出し、各脚部２０は、外側脚片２５と内側脚片２７を備え、外側脚片２５と内側脚片２７の突出方向先端に、先端連結部２３が一体に設けられ、外側脚片２５と内側脚片２７の先端が互いに連結されている。外側脚片２５は、突出方向の中央部が左右方向の外側に膨出し、膨らんだ部分がプラグ１２の係合を解除する操作部２６になる。内側脚片２７は、外側脚片２５の左右方向の内側に位置し、外側脚片２５よりも左右方向の厚みが薄く形成されている。さらに内側脚片２７は、外側脚片２５よりも大きな曲率で左右方向の外側に湾曲した形状に形成されている。
【００１９】
脚部２０の先端部２０ａに設けられた先端連結部２３は、操作部２６よりも表裏方向の厚みが薄く形成され、外側脚片２５と内側脚片２７の厚み方向の中央部に位置して前後方向に延出している。係合突起２２は、先端連結部２３の先端に位置して表裏方向の両方に突出して各々設けられている。係合突起２２には、脚部２０の基端部２０ｂ側に面して、係止段部２２ａ設けられ、係止段部２２ａは、後述するソケット１４の被係合部５２の被係止段部５２ａに係合可能に形成されている。
【００２０】
一対の脚部２０の基端部２０ｂ側では、外側脚片２５と内側脚片２７の基端が、取付部２４の両端から一体に延出したアーム部２８により、各々連結されている。これにより、各脚部２０は、各々外側脚片２５と内側脚片２７及び先端連結部２３とアーム部２８により囲まれた空間２９を有して形成されている。各アーム部２８は、取付部２４の両端であって、一対の脚部２０の基端部２０ｂに位置し、左右方向の中央部に向かって脚部２０の突出方向に傾斜した直線状に形成され、略Ｖ字状に設けられている。中央部の互いに対向したアーム先端部２８ａ同士は一定の隙間を有し、後述するガイド部３０のスリット３２の端部として対向している。
【００２１】
各アーム部２８のアーム先端部２８ａが対向した左右方向中央部には、プラグ１２のソケット１４への挿入動作をガイドするガイド部３０が、脚部２０の突出方向と平行に設けられている。ガイド部３０は、アーム先端部２８ａから互いに平行に左右方向に対向して、一体に前後方向に延出し細長いＵ字状に形成されている。ガイド部３０の先端部３０ａは、脚部２０の先端連結部２３付近で互いに連結され、ガイド部３０のＵ字状の間の空間がスリット３２として形成されている。先端部３０ａの位置は、脚部２０の先端連結部２３の先端よりも僅かに前後方向の基端部２０ｂ寄りに位置している。
【００２２】
取付部２４は、プラグ１２の端部の第１のバー３３と、一対の脚部２０の基端部２０ｂを連結した第２のバー３４とが左右方向に平行に設けられ、その間にテープ挿通孔２４ａが形成され一体に設けられている。さらに、第２のバー３４とアーム部２８で囲まれる部分も空間が設けられ、テープ挿通孔２４ｂを形成している。第１のバー３３は、取付部２４の表裏方向の幅と等しく形成され、第２のバー３４は、取付部２４の表裏方向の表面側に位置して、表裏方向に第１のバー３３よりも薄く形成されている。いる。
【００２３】
ソケット１４も、例えばポリアセタール、ポリアミド、ポリプロピレンなどの合成樹脂で一体成形により形成されている。ソケット１４は、図４〜図１０に示すように、プラグ１２の脚部２０が挿入される中空の嵌合部４０と、嵌合部４０の挿入口４０ａとは反対側に位置した取付部４２とから成る。取付部４２には、テープやベルト、その他の所定部材を挿通するテープ挿通孔４２ａが形成され、テープ部材等を連結する連結バー４４が設けられている。
【００２４】
ソケット１４の嵌合部４０は、上面部４５と下面部４６が互いに所定間隔を空けて対面し、プラグ１２の挿入空間を形成している。上面部４５と下面部４６の挿入口４０ａ側の端部は、その中央部に向かって前後方向の挿入口４０ａ中央に傾斜する略Ｖ字状に形成されている。ソケット１４の左右方向の側面は、互いに対向した側壁部４８が設けられ、側壁部４８の前後方向の中央部に、脚部２０の操作部２６が各々露出する操作孔５０が各々形成されている。操作孔５０は、左右方向に互いに近づくように凹状に湾曲して形成され、操作部２６が左右方向に露出可能に形成されている。
【００２５】
嵌合部４０の上面部４５と下面部４６の内面には、挿入口４０ａから連続して、プラグ１２の挿入動作をガイドするガイド溝５６が各々形成されている。ガイド溝５６は、挿入口４０ａから前後方向に設けられ、挿入口４０ａ側が広くラッパ状に形成されて、ガイド部３０が嵌合して前後方向の摺動動作をガイドする。嵌合部４０の上面部４５と下面部４６内の取付部４２寄りの位置には、一対の係合突起２２が係合する一対の被係合部５２が、嵌合部４０内の空間に、互いに対向するように表裏方向に突出して設けられている。各被係合部５２は、係合突起２２の係止段部２２ａが対面して係合する被係止段部５２ａを備え、係止段部２２ａと被係止段部５２ａは、脚部２０の突出方向と直交する面を有して設けられている。各被係合部５２には、前後方向に対して傾斜し互いに取付部４２に向かって近づくように設けられた面である側面部５２ｂが形成されている。側面部５２ｂは、プラグ１２の挿入時に、係合突起２２に当接して、脚部２０を互いに近づける方向に弾性変形させる。
【００２６】
下面部４６には、テープ挿通孔４２ａに近接して表裏方向に開口した一対の透孔５４が設けられ、透孔５４の挿入口４０ａ側の縁部が、各被係合部５２の周縁部に面一に連続して設けられている。ソケット１４のテープ挿通孔４２ａ側の端面は、端面壁部６０により閉じているとともに、端面壁部６０の中央部には、テープ挿通孔４２ａと嵌合部４０内を連通した開口部６２が形成されている。開口部６２は、ソケット１４の上面部４５と下面部４６間の幅で前後方向に開口し、左右方向の幅が、一対の透孔５４の互いに対向する内側縁部の間隔より狭く形成されている。
【００２７】
開口部６２には、下面部４６の取付部４２側端縁から凹状に開口凹部５８が連続して形成されている。開口凹部５８は、下面部４６にのみ設けられ、上面部４５の取付部４２側の端部により覆われている。開口凹部５８は、開口部６２の左右方向の幅と等しく形成され、透孔５４間に位置している。従って、各透孔５４と開口凹部５８の間には、下面部４６の一部である側縁部６４が形成されている。また、開口凹部５８の左右方向の幅Ｗ１は、一対の脚部２０の対向する側面間の左右方向の幅Ｗ２の左右方向の幅よりも狭く形成され、開口凹部５８の位置は、一対の脚部２０を、開口凹部５８が形成された下面部４６に投影した箇所の間に設けられている。つまり、図２の背面図に表すように、この実施形態のバックル１０は左右方向に対称に形成され、開口凹部５８は下面部４６の取付部４４側にて、左右方向の中央に形成されており、開口凹部５８の両側に一対の脚部２０が位置している。そして、各透孔５４は、係合突起２２が露出可能な位置に設けられている。なお、この実施形態のバックル１０では、開口凹部５８が下面部４６に形成されるが、開口凹部５８が上面部４５に形成される場合には、開口凹部５８は、一対の脚部２０を上面部４５に投影した箇所の間に設けられる。
【００２８】
次に、この実施形態のバックル１０の係合動作及び使用方法について以下に説明する。まず、このバックル１０のプラグ１２にテープ部材等を取り付けるには、プラグ１２の取付部２４のテープ挿通孔２４ｂの裏面側から連結用の図示しないテープ部材の端部を挿入し、第２のバー３４の外周を経て、プラグ１２の表面側からテープ挿通孔２４ａに挿入し、テープ挿通孔２４ａの裏面側で自身のテープ部材に重ねられ、長さ調節自在に引き出される。一方、ソケット１４に取り付けられる図示しないテープ部材等は、１本の連結バー４４に調節不能に連結される。
【００２９】
プラグ１２とソケット１４の係合は、図１、図２に示すように、プラグ１２の脚部２０をソケット１４の嵌合部４０の挿入口４０ａに対向させて、プラグ１２をソケット１４内へ押し込む。脚部２０が嵌合部４０内に挿入されると、脚部２０の係合突起２２の外側面が被係合部５２の側面部５２ｂに当接して、一旦脚部２０が互いに近づく方向に弾性変形しながら挿入される。さらにプラグ１２を押し込むと、側面部５２ｂから係合突起２２が離れて弾性変形した一対の脚部２０が元に戻り、一対の脚部２０の係合突起２２の係止段部２２ａが、各々被係合部５２の被係止段部５２ａに対面して、係合突起２２と被係合部５２が互いに係合する。
【００３０】
プラグ１２のソケット１４への挿入時に、ソケット１４内にゴミや雪等の異物が入っていた場合も、プラグ１２の挿入動作に伴ってソケット１４内の異物が、テープ挿通孔４２ａに連通した開口凹部５８及び開口部６２から排出される。
【００３１】
プラグ１２とソケット１４との連結を解除するには、一対の操作部２６を外側方から押圧して、プラグ１２の係合突起２２をソケット１４の被係合部５２と対面しない位置に弾性変形させる。この状態で、プラグ１２とソケット１４が互いに離れる方向に僅かに相対的に移動させると、脚部２０の弾性力により、係合突起２２が被係合部５２の側面部５２ｂに沿って係合位置から押し出されるように離れる。これにより、容易に係合が解除される。
【００３２】
さらに、プラグ１２とソケット１４の係合状態で、開口凹部５８や開口部６２から雪等の異物が入る場合も、プラグ１２の一対の脚部２０の係合突起２２は、開口凹部５８から側縁部６４を挟んで形成されているので、雪等の異物は側縁部６４の幅だけ係合突起２２間に入る量が減る。これにより、プラグ１２の係合解除操作に際して、脚部２０が互いに近づく方向への揺動が、側縁部６４の幅の分だけ容易に可能であり、係合解除動作を確実に行うことができる。
【００３３】
この実施形態のバックル１０によれば、テープ挿通孔４２ａに連通した開口凹部５８及び開口部６２がソケット１４に設けられているので、プラグ１２の挿入時に、ソケット１４内に入り込んでいた雪やゴミ等の異物が容易に排出され、プラグ１２とソケット１４の係合動作を確実に行うことができる。さらに、プラグ１２とソケット１４の係合状態で、開口凹部５８や開口部６２から雪等の異物が侵入した場合も、プラグ１２の一対の脚部２０の係合突起２２間は、側縁部６４の幅の分だけ異物が入り難く、プラグ２０の揺動スペースが形成され、係合解除動作も確実に行うことができる。
【００３４】
次に、この発明の第二実施形態について図１４〜図１６に基づいて説明する。なお、ここで、上記実施形態と同様の部材は同様の符号を付して説明を省略する。この実施形態のバックル７０は、テープ挿通孔４２ａに連通した開口凹部７２が、下面部４６の前後方向の中央部よりも挿入口４０ａ側に延びて形成されたものである。開口凹部７２は、テープ挿通孔４２ａに向かって僅かに広がるように台形状の形状に設けられ、台形の下底部分が、ソケット１４の端面の開口部６２に連通している。
【００３５】
この発明のバックル７０によれば、上記実施形態と同様の作用効果を有し、ソケット１４内に雪等の異物がある場合もプラグ１２の挿入がより容易であり、プラグ１２の係合解除動作も確実に行うことができる。
【００３６】
次に、この発明の第三実施形態について図１７〜図１９に基づいて説明する。なお、ここで、上記実施形態と同様の部材は同様の符号を付して説明を省略する。この実施形態のバックル７４は、ソケット１４のテープ挿通孔４２ａ側の端面全面がテープ挿通孔４２ａに開口し、開口部７８が形成され、開口部７８の側端縁から凹状に開口凹部７６が連続して形成されている。開口部７８は、左右方向の両端縁部７８ａを残して、ソケット１４のテープ挿通孔４２ａ側のほぼ端面全面に開口しているので、ソケット１４内の脚部２０の係合突起２２の先端が、開口部７８に露出している。開口部７８の左右方向の幅は、一対の透孔５４の開口凹部７６側の側縁間の間隔より広く形成されている。
【００３７】
この発明のバックル７４によれば、上記実施形態と同様の作用効果を有し、ソケット１４のテープ挿通孔４２ａ側の端面全面がテープ挿通孔４２ａに開口して開口部７８が形成されているので、ソケット１４内に雪等の異物がある場合もプラグ１２の挿入がより容易であり、プラグ１２の係合解除動作も確実に行うことができる。
【００３８】
次に、この発明の第四実施形態について図２０〜図２２に基づいて説明する。なお、ここで、上記実施形態と同様の部材は同様の符号を付して説明を省略する。この実施形態のバックル８０は、テープ挿通孔４２ａに連通した開口凹部８２が、下面部４６の前後方向の中央部よりも挿入口４０ａ側に延びて形成されたものである。開口凹部８２は、テープ挿通孔４２ａに向かって長方形状に設けられ、長方形の短辺部分が、ソケット１４の端面の開口部６２に連通している。
【００３９】
この発明のバックル８０によれば、上記実施形態と同様の作用効果を有し、ソケット１４内に雪等の異物がある場合もプラグ１２の挿入がより容易であり、プラグ１２の係合解除動作も確実に行うことができる。
【００４０】
なお、この発明のバックルは、上記各実施形態に限定されるものではなく、ソケットのテープ挿通孔側の端面に形成された開口部や凹状の開口凹部は、ソケットの下面部以外に上面部に形成されていても良く、両方に設けられていても良い。開口部や開口凹部の大きさや形状も適宜設定可能なものであり、ソケットの端面部分と下面部等で連通して、開口部と開口凹部が形成されていれば良い。一対の透孔も、上面部に形成されていても良く、下面部と上面部の両方に形成されていても良い。さらに、一対の透孔は、開口凹部と各々所定幅の側縁部を挟んで形成されていれば良く、側縁部の幅も適宜設定し得るものである。また、脚部に設けられた係合部は、脚部の先端部以外の基端側に設けられ、ソケットの被係合部が、側壁部の内側に設けられたバックルにも適用可能である。
【符号の説明】
【００４１】
１０，７０，７４，８０  バックル
１２  プラグ
１４  ソケット
２０  脚部
２２  係合突起
２４，４２  取付部
２４ａ，２４ｂ，４２ａ  テープ挿通孔
４０  嵌合部
４０ａ  挿入口
４４  連結バー
４５  上面部
４６  下面部
５０  操作孔
５２  被係合部
５４  透孔
５８，７２，７６，８２  開口凹部
６０  端面壁部
６２，７８  開口部
６４  側縁部
【図１】
0006761639.tif 000002
【図２】
0006761639.tif 000003
【図３】
0006761639.tif 000004
【図４】
0006761639.tif 000005
【図５】
0006761639.tif 000006
【図６】
0006761639.tif 000007
【図７】
0006761639.tif 000008
【図８】
0006761639.tif 000009
【図９】
0006761639.tif 000010
【図１０】
0006761639.tif 000011
【図１１】
0006761639.tif 000012
【図１２】
0006761639.tif 000013
【図１３】
0006761639.tif 000014
【図１４】
0006761639.tif 000015
【図１５】
0006761639.tif 000016
【図１６】
0006761639.tif 000017
【図１７】
0006761639.tif 000018
【図１８】
0006761639.tif 000019
【図１９】
0006761639.tif 000020
【図２０】
0006761639.tif 000021
【図２１】
0006761639.tif 000022
【図２２】
0006761639.tif 000023